(57)【特許請求の範囲】
【請求項１】
貨幣を収納する収納室と該収納室から装置内に貨幣を１枚ずつ取り込む貨幣取り込み装置と、取り込まれた貨幣を搬送する搬送路とを有する自動取引装置において、
一時集積部を有し、
１枚ずつ貨幣を取り込み、取り込まれた貨幣の前記一時集積部への正常な集積が終了したことを検出した後、次の貨幣の取り込み動作を開始する単送りモードを有することを特徴とする自動取引装置。
【請求項２】
現金を収納する収納室と該収納室から装置内に紙幣を１枚ずつ取り込む貨幣取り込み装置と、取り込まれた貨幣を搬送する搬送路とを有する自動取引装置において、
一時集積部を有し、
複数枚の貨幣を連続して取り込む連続送りモードと、１枚ずつ貨幣を取り込み、取り込まれた貨幣の前記一時集積部への正常な集積が終了したことを検出した後、次の貨幣の取り込み動作を開始する単送りモードとを有することを特徴とする自動取引装置。
【請求項３】
請求項２に記載の自動取引装置おいて、
連続送りモードと単送りモードを切り替えることができることを特徴とする自動取引装置。
【発明の詳細な説明】
【０００１】
【発明の属する技術分野】
複数の運用モードを有するＡＴＭなどの自動取引装置に関する。
【０００２】
【従来の技術】
従来の自動取引装置は、利用者が預金する入金取引や預金を引き出す出金取引において、現金の搬送速度や取り込み速度などの運用モードは単一のモードにより運用している。
【０００３】
【発明が解決しようとする課題】
近年、金融機関などにおいては、顧客サービス向上の一環として自動取引装置の稼動時間延長の動きがあり、２４時間稼動や休日稼動が行われるようになってきた。このため、金融機関の係員が不在時に自動取引装置を稼動する無人稼動となる場合が多く、従来に増してジャムなどのエラーによる休止障害の低減が要望されている。
【０００４】
他方、従来から繁忙時の自動取引装置の混雑緩和のため処理速度の向上に応えるべく、媒体処理などは可能な限り高速に行われるようになっている。
高速処理はジャムなどのエラーが発生しやすい問題があるが、通常、自動取引装置における現金の搬送速度や取り込み速度などの運用モードは繁忙時の高速運用に合わせた単一のモードのみを保有しているため、繁忙時以外のときでも常に高速で運用している。
【０００５】
このため、信頼性を重視した運用をしたい場合でもジャムなどのエラー発生を一定以下に抑制することが非常に困難であった。
そこで、本発明では、ジャムなどのエラーによる休止障害の低減と稼動状況、取引環境に合わせた最適な稼動を選択できるようにすることを目的とする。
【０００６】
【課題を解決するための手段】
そのため、本発明は、貨幣を収納する収納室と該収納室から装置内に貨幣を１枚ずつ取り込む貨幣取り込み装置と、取り込まれた貨幣を搬送する搬送路とを有する自動取引装置において、一時集積部を有し、１枚ずつ貨幣を取り込み、取り込まれた貨幣の前記一時集積部への正常な集積が終了したことを検出した後、次の貨幣の取り込み動作を開始する単送りモードを有することを特徴とする。
【０００７】
【発明の実施の形態】
以下に図面を参照して本発明の実施の形態を説明する。
まず、本実施の形態における自動取引装置の構成について説明する。
図３は、自動取引装置の外観を示す斜視図である。
１は自動取引装置、２は該自動取引装置の筐体であり、この装置筐体２の上方の垂直面にはカード挿入口７と通帳挿入口８とコイン入出金口９が設けられており、水平面には紙幣入出金口４と扉５と操作表示部６とが設けられている。
【０００８】
紙幣入出金口４は、取引に伴う紙幣（貨幣）Ｐの一括投入あるいは一括取り出しが可能に形成されている。
扉５は入金された紙幣Ｐを装置筐体２内部に取り込み収納する間および出金すべき紙幣Ｐを入出金口４に搬送する間に、利用者が不意に巻き込まれたり不所望な物が投入されることを防止するための扉であり、開閉自在に形成されており、紙幣入出金部４の上部に配置されている。
【０００９】
操作表示部６は図示しないタッチセンサをカラーＣＲＴやＬＣＤによる表示部上に設けたもので、操作表示部６は、利用者の操作を誘導するイラスト、文字、あるいは文言を表示すると共に暗証番号、取引金額、口座番号等を入力するためのテンキーおよび取引の承認、確認あるいは取り消しを行うためのファンクションキーを表示する。
【００１０】
利用者が表示部分を押圧すると図示しないタッチセンサが検知し、後述する主制御部に信号を出力する。
７は暗証番号および口座番号が記録されている取引媒体である磁気カードを挿入するためのカード挿入口であり、８は通帳を挿入するための通帳挿入口であり、９は硬貨を投入するためのコイン入出金口である。
【００１１】
図２は、自動取引装置の制御系を示すブロック図である。
１１は前述した装置筐体２の各部と接続していて装置全体を制御する主制御装置である。
１２はカード挿入口７から挿入された磁気カードＡを自動取引装置内に取り込み、磁気カードＡの所定の位置に配置されている磁気ストライプ部から口座番号および種別などの口座情報を受け取る磁気カードリーダー部である。
【００１２】
１３は、通帳挿入口８から挿入された通帳Ｂの磁気ストライプ部を読み取ると共に通帳Ｂおよび図示しないジャーナル用紙に取引内容を記録する通帳プリンタ部である。
１４は紙幣入出金口４に外部から挿入された紙幣Ｐを取り込んで入金額を計数した後、所定のルーチンにしたがって後述する金庫に搬送すると共に、指定された金額の紙幣Ｐを入出金口４に払い出す紙幣入出金ユニットである。
【００１３】
１５は、コイン入出金口９に投入されたコインＣを受け入れると共にコイン入出金口９から利用者にコインを払い出すコイン入出金ユニットである。
１６は操作表示部５によって構成される接客ユニットであり、１７は係員用の内部モニタを有する係員操作部である、
２３は自動取引装置の外部に設けられていて主制御装置１１に接続されている係員用のリモートモニタである。
【００１４】
前記係員操作部１７および前記リモートモニタ２３により、装置筐体２内部に保留されている紙幣Ｐの残高検知、後述する補助金庫の交換および紙幣Ｐの補充、ジャーナル用紙の補充等の処理が指示されるようになっている。
２０は主制御装置１１と図示しないホストコンピュータとの間のデータ伝送を制御する伝送制御部である。
【００１５】
２１は振り込み取引に必要な金融機関の情報、例えば、銀行名および支店名が５０音順に記録されたデータファイルとしての図示しないフロッピーディスクを受け入れて読み込むためのフロッピーディスクドライブである。
２２は電源部である。
図１は、自動取引装置の内部構造を示す概略側面図である。
【００１６】
３１は紙幣入出金口４に投入された紙幣Ｐを一括して収納する紙幣収納室（以下、ホッパと示す）であり、紙幣入出金口４の下方に配置されている。
ホッパ３１は、９０度の回転が可能に構成されており、利用者が紙幣Ｐを投入するときおよび紙幣Ｐを利用者に払い出すときには、紙幣Ｐを底面に対して垂直に立たせる向きになり、後述する各金庫に紙幣Ｐを取り込むときおよび出金や返却の紙幣Ｐを送り込み、紙幣Ｐを底面に対して水平に寝かせた向きになる。
【００１７】
３２は紙幣Ｐの表裏を揃える表裏取り揃え部である。
３４はそれぞれホッパ３１に投入された紙幣Ｐを１枚ずつ装置内に取り込むための取り込み装置である。
検出手段６６により紙幣の取り込み状態を検出し、正常な取り込み操作が完了したら、次の紙幣Ｐの取り込みを開始する。
【００１８】
搬送異常を検出した場合には、取り出し動作を停止し、取り出しローラ３３を逆転してホッパ３１内に当該紙幣Ｐを戻す操作を行う。
３５は左右方向に移動可能なバックアップとして形成されていて、所定の位置に移動されることによりホッパ３１の容量を変更すると共に、紙幣入出金口４に投入された紙幣Ｐを、各金庫に取り込む際に、紙幣Ｐを取り込みローラ側に押しつけるための加圧部材として利用される。
【００１９】
３６は鑑査装置であり、図示しない光学センサーや磁気センサーおよび鑑別回路等を備えていて、紙幣Ｐの真偽判別、損券判別、金種判別、表裏判別などを一枚ずつチェックすると共に、払い出しのために再利用が可能な紙幣（以下、リサイクル券と示す）と偽券、損券、金種判別が不可能であった紙幣（以下、リジェクト券と示す）とを区別する。
【００２０】
３８は前記鑑査装置３６において再利用可能なリサイクル券と判別された紙幣を一時的に保持する入金一時集積部である。
４０は鑑査装置３６による鑑査によりリジェクトされたリジェクト券を一時集積すると共に、所定のタイミングでホッパ３１に返却する入金リジェクト券集積部である。
【００２１】
入金動作時に、鑑査装置３６がホッパ３１に投入されたすべての紙幣Ｐを鑑査し終えると、前記入金リジェクト券をホッパ３１に返却する。
３７は主制御装置１１とのコマンド、データなどの送受信や入出金ユニット内の機械類やモータの制御、紙幣の搬送先、などの各種の制御を行う制御部である。
【００２２】
５０、５１、５２はそれぞれ第１の金庫、第２の金庫、第３の金庫であり、第１の金庫５０、第２の金庫５１、第３の金庫５２は、後述する装填庫から収受した紙幣および利用者が入金した紙幣で、払い出しに再利用できる千円券及び万円券を保持している金庫である。
額面の大きな種類の紙幣、例えば万円券は第１の金庫５０と第２の金庫５１に収納され、額面の小さな種類の紙幣、例えば千円券は第３の金庫５２には収納される。
【００２３】
また、５千円券は、通常の顧客取引においては、払い出しに利用されないことから、鑑査装置３６の正損結果に関わらず、後述するリジェクト庫に収納される。
５３、５４はそれぞれ紙幣収納機構と紙幣取り出し機構であり、第１の金庫５０、第２の金庫５１、第３の金庫５２の上端部分に設けられていて、前記紙幣収納機構は利用者が入金した紙幣Ｐを収納し、前記紙幣取り出し機構は払い出し要求に応じた金額の紙幣を出金する。
【００２４】
さらに、装置筐体２内部には様々な搬送ベルトあるいはローラなどの被駆動要素を駆動するためのモータＭおよび該モータＭにより発生される駆動力を搬送ベルトあるいはローラなどに伝達する図示しない駆動力伝達系が設けられている。
Ｒ１からＲ１９は、搬送ベルトおよびローラなどの被駆動要素により形成された紙幣搬送路である。
【００２５】
搬送路Ｒ１からＲ１９が分岐する位置には、紙幣の搬送方向を切り換える切り換え装置７０が組み込まれている。
６０、６１はそれぞれ第１のリジェクト庫と第２のリジェクト庫であり、上下方向に積層されて配置されており、制御部３７の指示に従ってリジェクト券を区別して収容する。
【００２６】
第１のリジェクト庫６０と第２のリジェクト庫６１には、それぞれリジェクト庫に着脱可能に形成されたリジェクトカセット６０ａおよび６１ａが配置されている。
前記リジェクトカセット６０ａおよび６１ａには、たとえば、マグネット、切欠あるいは突起等が設けられていて、カセットが正確にセットされていることを図示しないカセット検知センサで検知する。
【００２７】
なお、第１リジェクトカセット６０ａ及び第２のリジェクトカセット６１ａは、実質的に同１に形成され、相互に、交換可能に形成されている。
６３は回収部であり、第２のリジェクト庫６１の下部に設けられていて、利用者がホッパ３１内から取り忘れた紙幣を保持する。
６４は補助金庫であり、回収部６３の上部に設けられていて、払い出しのための紙幣Ｐを各金庫に補充する場合等に利用される。
【００２８】
６５は補助金庫６４に配置されている装填カセットであり、入出金口４からの紙幣Ｐの受け入れ又は払い出しのための紙幣Ｐの入出金口４の搬送動作に制限されることなく、必要に応じて、外部から紙幣Ｐを補充できる。
検出手段６６は取り込み装置３４を挟んで設置されている一対の発光、受光センサにより構成されていて、紙幣Ｐの連鎖、スキュー量や厚さなどの搬送状態を検出する。
【００２９】
以下に、上述した構成の作用について説明する。
まず入金取引処理について図４、図５を用いて説明する。
図４は、入金取引処理を示す説明図である。図５は入金取引処理のフローチャートである。
利用者は操作表示部６に表示されている取引の中から「入金」を選択する（Ｓ１０１）。主制御部１１の指令により、操作表示部６に「現金を入れてください」というメッセージが表示されると共に扉５が開放される（Ｓ１０２）。
【００３０】
利用者が紙幣入出金口４からホッパ３１に一括して紙幣Ｐを投入すると主制御部１１の指令により扉５が閉まる。
利用者が紙幣入出金口４からホッパ３１に一括して投入した紙幣Ｐは、図４の実線矢印で示すように、紙幣取り込みローラ３３と紙幣取り込み装置３４により装置内に取り込まれる。
【００３１】
このとき、紙幣の搬送状態を検出する検出手段６６により、紙幣の連鎖、スキュー量、厚さなど搬送状態に異常が検出されると紙幣取り込み動作が中止され、搬送異常が検出された紙幣を前記ホッパ３１に返却する。
前記検出手段より連鎖やスキュー量、厚さに異常が検出されなかった紙幣は、搬送路Ｒ１を通り、鑑査装置３６に導かれる。
【００３２】
鑑査装置３６において、真偽判別、損券判別、金種判別、表裏判別などを１枚ずつチェックされる（Ｓ１０３）。
入金可能紙幣は搬送路Ｒ２、搬送路Ｒ３、搬送路Ｒ４を経由し、表裏取り揃え部３２で表裏を取り揃えられ（Ｓ１０４）、入金一時集積部３８に収納される（Ｓ１０５）。
【００３３】
リジェクト券と判別された紙幣は搬送路Ｒ２、搬送路Ｒ３、搬送路Ｒ４を経由して図４の破線矢印で示すように搬送路Ｒ６を経由して入金リジェクト集積部４０へ導かれて一旦集積される（Ｓ１０６）。
入金リジェクト集積部４０に集積された入金リジェクト券は、ホッパ３１に投入されたすべての紙幣Ｐが鑑査装置３６で鑑査された後に搬送路Ｒ７を経由してホッパ３１に一括して返却される（Ｓ１０７）。
【００３４】
紙幣Ｐがホッパ３１に返却されると、主制御装置１１の制御により扉５が開放され、操作表示部６に「現金を入れなおしてください」というメッセージが表示される。
利用者がホッパ３１から入金リジェクト券を取り出して再投入し、鑑査装置３６において入金枚数を確認できた場合には、主制御装置１１の制御により、該入金紙幣は入金一時集積部３８に収納され、操作表示部６には入金額と「確認」ボタンが表示される（Ｓ１０８）。
【００３５】
利用者は、自分が投入した金額と操作表示部６に表示される金額が一致している場合は操作表示部６のタッチセンサの「確認」ボタンを押す。
タッチセンサの「確認」ボタンが押されると入金一時集積部３８に一時的に集積されている紙幣Ｐは、図４に実線矢印で示すように、１枚ずつ搬送路Ｒ８、鑑査装置３６（Ｓ１０９）、搬送路Ｒ２、搬送路Ｒ９、搬送路Ｒ１０を通って第１の金庫５０、第２の金庫５１、第３の金庫５２に向けて搬送される。
【００３６】
第１の金庫５０、第２の金庫５１、第３の金庫５２に向けて搬送された紙幣Ｐは、制御部３７の制御により、動作される図示しない切り替えゲート並びにそれぞれの金庫に配置されている紙幣収納機構５３を介して、紙幣の金種に応じて万円券は第１の金庫５０と第２の金庫５１に収納され（Ｓ１１０）、千円券は第３の金庫５２に収納される（Ｓ１１１）。
【００３７】
このとき、再度通過した鑑査装置３６においてリジェクト券と判別された紙幣と払い出しに利用されない５千円券は、制御部３７の指令により、図４における破線矢印で示すように搬送路Ｒ１１を経由して、第１のリジェクト庫６０または第２のリジェクト庫６１に収納される。
本実施の形態では、この入金取引によりリジェクト券と判別された紙幣を後述する精査が行われる前の第１のリジェクト券とし、この第１のリジェクト券と５千円券は、第１のリジェクト庫６０に収納される（Ｓ１１２）。
【００３８】
第１のリジェクト庫６０および第２のリジェクト庫６１にリジェクト券が収納されると、該第１のリジェクト庫６０および第２のリジェクト庫６１の外部にそれぞれ設置されている図示しない表示装置のランプが点灯し、紙幣が収納されていることを示す。
なお、この入金処理は上述した例に限らず、第１の金庫、第２の金庫、第３の金庫の上に紙幣一時集積板を設けてあり、鑑査を経た紙幣を該一時集積板の上に集積し、取引確定後に一時集積板上の紙幣を金庫に直接収納するタイプの自動取引装置においても適用可能である。
【００３９】
以上説明した入金処理のように、紙幣の連鎖、スキュー量、厚さ等の搬送異常を検出する検出手段を設け、異常が検出されると紙幣取り込み動作が中止され、搬送異常が検出された紙幣をホッパ３１に返却することにより、ジャムなどによる休止障害を低減させることが可能となる。
次に、出金取引処理について図６、図７を用いて説明する。
【００４０】
図６は、出金取引処理を示す説明図である。図７は出金取引処理のフローチャートである。
利用者は操作表示部６に表示されている取引の中から「払い出し」を選択する（Ｓ２０１）。主制御部１１の指令により、操作表示部６に「通帳又はカードを入れてください」というメッセージが表示される。
【００４１】
利用者が図示しない磁気カードまたは図示しない通帳をカード挿入口７または通帳挿入口８に挿入すると（Ｓ２０２）、主制御装置１１の制御により操作表示部６に、「暗証番号を入力してください」というメッセージとテンキーが表示される。
利用者が暗証番号を入力すると（Ｓ２０３）伝送制御部２０の制御により図示しないホストコンピューターに暗証番号が伝送され、ホストコンピューターに記憶されている暗証番号と入力された暗証番号とが照合される（Ｓ２０４）。
【００４２】
入力された暗証番号が正しい場合、主制御装置１１の制御により、「払い出し金額を入力してください」というメッセージとテンキーおよび条件を確定するための「確認」ボタンが操作表示部６に表示される（Ｓ２０５）。
利用者が払い出し金額を入力すると、制御部３７の制御により、動作される図示しない切り替えゲート並びにそれぞれの金庫に配置されている紙幣取り出し機構５４が作動し、利用者が要求した金額の紙幣が第１の金庫５０、第２の金庫５１、第３の金庫５２から排出されて搬送路Ｒ１０に案内される（Ｓ２０６）。  搬送路Ｒ１０に案内された紙幣は、鑑査装置３６、搬送路Ｒ２、搬送路Ｒ３、搬送路Ｒ４、搬送路Ｒ６および搬送路Ｒ７を順次経由して、ホッパ３１に供給される。
【００４３】
続いて、紙幣入出金口４の扉５が開放されると共に、操作表示部６に、「現金をお取り下さい」というメッセージが表示される（Ｓ２０７）と共に通帳又はカードが返却される。
なお、出金処理において、鑑査装置３６においてリジェクト券と判別された紙幣は、制御部３７の指令により、図６における破線矢印で示すように搬送路Ｒ２、搬送路Ｒ９、搬送路Ｒ１１を経由して、第１のリジェクト庫６０または第２のリジェクト庫６１のリジェクト庫に収納される。
【００４４】
本実施の形態では、この出金取引によりリジェクト券と判別された紙幣を後述する精査が行われる前の第２のリジェクト券とし、この第２のリジェクト券を第１のリジェクト庫６０に収納する（Ｓ２０８）。
第１のリジェクト庫６０および第２のリジェクト庫６１にリジェクト券が収納されると、該第１のリジェクト庫６０および第２のリジェクト庫６１の外部にそれぞれ設置されている図示しない表示装置のランプが点灯し、紙幣が収納されていることを示す。
【００４５】
上述した出金処理動作時において、ホッパ３２に送出された払い出すべき紙幣Ｐが所定時間経過してもホッパ３２から取り出されない場合には、主制御装置１１の制御により、「取り忘れ」と判定され、取り込みローラ３３により１枚ずつ搬送路Ｒ１に案内され、搬送路Ｒ２、搬送路Ｒ９、搬送路Ｒ１１を経由して回収部６３に案内される（２１０）。
【００４６】
次に、精査処理について説明する。
図８は、精査処理を示す説明図である。図９は精査のフローチャートである。
伝送制御部２０を経由してホストコンピューターすなわち管理センタなどから自動取引装置に精査の指令が伝送されると（Ｓ３０１）、主制御装置１１の制御により、自動取引装置において取引が行われていないことが確認される（Ｓ３０２）。
【００４７】
図７に示すように、第１の金庫５０、第２の金庫５１、第３の金庫５２に収納されている紙幣Ｐは、それぞれの金庫に配置されている紙幣取り出し機構５４により搬送路Ｒ１０に取り出され（Ｓ３０３）、鑑査装置３６、搬送路Ｒ２、搬送路Ｒ３を順次経由して補助金庫６４の装填カセット６５に収納される（Ｓ３０４）。
【００４８】
この第１の金庫５０、第２の金庫５１、第３の金庫５２から装填カセット６５まで搬送されるまでの間に、鑑査装置３６において２枚以上の重送または破れ又は汚損によりリジェクト券と判別された紙幣（以下、第３のリジェクト券とする）は、制御部３７の指令により図８における破線矢印で示すように搬送路Ｒ９を経由して、第１のリジェクト庫６０または第２のリジェクト庫６１に収納される。本実施の形態では、第１のリジェクト庫６０に収納される（Ｓ３０５）。
【００４９】
補助金庫６４の装填カセット６５に収納されている紙幣Ｐは、図８に示すように、搬送路Ｒ１８、搬送路Ｒ２、鑑査装置３６（Ｓ３０６）、搬送路Ｒ１０を経由して金種ごとに第１の金庫５０、第２の金庫５１、第３の金庫５２に収納される（Ｓ３０７）。
この補助金庫６４の装填カセット６５から第１の金庫５０、第２の金庫５１、第３の金庫５２まで搬送されるまでの間に、鑑査装置３６において２枚以上の重送または破れ又は汚損によりリジェクト券と判別された紙幣（以下、第４のリジェクト券とする）は、制御部３７の指令により、第１のリジェクト庫６０または第２のリジェクト庫６１に収納される。本実施の形態では、第２のリジェクト庫６１に収納される（Ｓ３０８）。
【００５０】
なお、本実施の形態では、精査が行われた後の入金取引によりリジェクト券と判別された紙幣（以下、第５のリジェクト券とする）は、第２のリジェクト庫６１に収納されるものとし（Ｓ１１３）、精査が行われた後の出金取引によりリジェクト券と判別された紙幣（以下、第６のリジェクト券とする）は、第２のリジェクト庫６１に収納されるものとする（Ｓ２０９）。
【００５１】
次に、本発明における紙幣の取り込み速度と搬送速度について図１０を用いて説明する。
図１０は図１における紙幣投入部拡大図である。
入金取引においては、ホッパ３１に一括して投入された紙幣Ｐを取り込み装置３４が１枚ずつ分離して搬送路Ｒ１に取り込み、以降前記の説明のように紙幣Ｐは搬送路Ｒ１からＲ１９により搬送されることになる。
【００５２】
この取り込み装置３４による紙幣Ｐの取り込み速度は、取り込み装置３４を駆動するモータｍの回転を制御することにより可変できるようにしている。
また、取り込み装置３４から取り込まれた紙幣Ｐを搬送する搬送路Ｒ１からＲ１９の搬送速度は、搬送路Ｒ１からＲ１９を駆動するモータＭの回転を制御することにより可変できるようにしている。
【００５３】
これらの紙幣取り込み速度および搬送速度については、曜日や時間帯等に応じて複数の運用モードを設定し、各運用モードにおける紙幣取り込み速度および搬送速度を異ならせるものとする。
運用モードの設定は係員が係員操作部１７を操作することにより行う。さらに、ホストコンピュータの指令により登録することも可能である。
【００５４】
これにより、例えば月曜日から金曜日の１９時までは中程度の紙幣取り込み速度及び搬送速度で運用し、非常に繁忙となる金曜日の１９時からは高速の紙幣取り込み速度及び搬送速度で運用して混雑を緩和することができる。
また、土曜日、日曜日は係員のいない無人稼動となり、またそれほど混雑することもないため、低速の紙幣取り込み速度及び搬送速度で運用し、信頼性の高い運用とするなど、稼動状況に合わせた運用モードの設定が可能となる。
【００５５】
さらに、上述した運用モードの設定、切り替えは、種々の取引や精査などにおいて可能である。
例えば、入金は利用者の現金を取り扱う取引であるため、信頼性を重視して低速の紙幣取り込み速度及び搬送速度で運用し、出金は取引が行われる頻度が高いため高速の紙幣取り込み速度及び搬送速度で運用するなど取引の種類に応じた運用モードを設定することができる。
【００５６】
取り込み速度を複数設定する方法として、単位時間当たりの取り込み枚数を指定する方法を採用し、これを連続して紙幣Ｐを取り込む連続送りモードがある。
この場合の紙幣取り込み速度は、例えば、１０枚／秒、５枚／秒、１枚／秒などが考えられる。
さらに、１枚の紙幣が正常に目的地に収納されたことを検出した後、次の紙幣の取り込み動作を行う、単送りモードでの運用も可能である。
【００５７】
前記単送りモードは、例えば、入金取引において、ホッパ部３１に複数枚の紙幣がセットされた場合、１枚目が取り込み装置３４に１枚ずつ取り込まれ、搬送路Ｒ１などを経由して入金一時集積部４０に集積されるが、これが正常に行われたことを入金一時集積部４０に設置してある図示しない検出手段により検出し、収納されていることが確認できたら２枚目の紙幣取り込み動作を開始するようにしたものである。
【００５８】
この単送りモードにより、ショートピッチなどで取り込まれた際に生じる搬送路や入金一時集積部４０でのジャムの発生を減少させることができる。
さらに、前記連続送りモードと前記単送りモードの両者を登録しておき、取引種別、曜日、時間帯等に応じて該連続送りモードと該単送りモードモード切り替えることができる。
【００５９】
また、搬送速度の設定値としては、１．６ｍ／秒、０．８ｍ／秒、０．４ｍ／秒などが考えられる。
本実施例では、紙幣を処理する装置として説明してきたが、硬貨や郵便物を処理する装置やシート類の読取装置についても適用することができる。
【００６０】
【発明の効果】
以上説明したように、本実施例によれば、紙幣の取り込み速度や搬送速度、紙幣の取り込み速度を設定する方法（連続送りモードと単送りモード）の運用モードを曜日、時間帯、取引の種類等に応じて設定、切り替え可能とすることで、稼動状況、取引環境に合わせた最適な稼動を選択することができる。
【００６１】
さらに、紙幣の連鎖、スキュー量、厚さ等の搬送状態の異常を検出する検出手段を設け、異常が検出されると紙幣取り込み動作が中止され、搬送異常が検出された紙幣をホッパ３１に返却することにより、ジャムなどによる休止障害を低減させることが可能となる。
【図面の簡単な説明】
【図１】自動取引装置の内部構造を示す概略側面図
【図２】自動取引装置の制御系を示すブロック図
【図３】自動取引装置の外観を示す斜視図
【図４】入金取引処理を示す説明図
【図５】入金取引処理のフローチャート
【図６】出金取引処理を示す説明図
【図７】出金取引処理のフローチャート
【図８】精査処理を示す説明図
【図９】精査のフローチャート
【図１０】図１における紙幣投入部拡大図
【符号の説明】
２  装置筐体
４  紙幣入出金口
５  扉
６  操作表示部
７  カード挿入口
８  通帳挿入口
９  コイン入出金口
１１  主制御装置
１２  磁気カードリーダー部
１３  通帳プリンタ部
１４  紙幣入出金ユニット
１５  コイン入出金ユニット
１６  接客ユニット
１７  係員操作部
２０  伝送制御部
２１  フロッピーディスクドライブ
２２  電源部
２３  リモートモニタ
３１  紙幣収納室（ホッパ）
３２  表裏取り揃え部
３４  取り込み装置
３６  鑑査装置
３７  制御部
３８  入金一時集積部
４０  入金リジェクト券集積部
４１  ローラ
５０  第１の金庫
５１  第２の金庫
５２  第３の金庫
５３  紙幣収納機構
５４  紙幣取り出し機構
６０  第１のリジェクト庫
６１  第２のリジェクト庫
６３  回収部
６４  補助金庫
６５  装填カセット
６６  検出手段
【図１】
0004887554.tif 000002
【図２】
0004887554.tif 000003
【図３】
0004887554.tif 000004
【図４】
0004887554.tif 000005
【図５】
0004887554.tif 000006
【図６】
0004887554.tif 000007
【図７】
0004887554.tif 000008
【図８】
0004887554.tif 000009
【図９】
0004887554.tif 000010
【図１０】
0004887554.tif 000011